(57)【要約】【課題】コールドミラーを透過した赤外線の熱を外部に放熱することができるヘッドアップディスプレイ装置を提供する。【解決手段】発光型表示器は表示光を発する。コールドミラーは発光型表示器から出た表示光を反射させる。ミラーホルダーはコールドミラーを接着により保持する。ケースは発光型表示器及びコールドミラーを収納する。コールドミラーを透過する赤外線を受光するミラーホルダーを前記ケースから露出させる。ミラーホルダーの外部側に放熱フィンを設ける。【選択図】  図１
2004347633.tif 000002
【特許請求の範囲】
【請求項１】
表示光を発する発光型表示器と、前記発光型表示器から出た前記表示光を反射させるコールドミラーと、前記発光型表示器と前記コールドミラーを少なくとも収納するケースと、を有するヘッドアップディスプレイ装置において、前記コールドミラーを透過する赤外線を受光し、前記コールドミラーを保持するミラーホルダーを設け、前記ミラーホルダーを前記ケースから露出させたことを特徴とするヘッドアップディスプレイ装置。
【請求項２】
前記ミラーホルダーの外部に露出した部分に放熱フィンを設けたことを特徴とする請求項１に記載のヘッドアップディスプレイ装置。
【発明の詳細な説明】
【０００１】
【発明の属する技術分野】
本発明は、表示器が発した表示光を反射部材で反射させ、虚像を表示するヘッドアップディスプレイ装置に関するものである。
【０００２】
【従来の技術】
従来より、種々のヘッドアップディスプレイ装置が提案されており、例えば特許文献１に開示されている。ヘッドアップディスプレイ装置１は、車両のダッシュボード２に配設されており、表示光３をフロントガラス４に投射し、虚像５を表示する（図３参照）。運転者６は、虚像５を風景に重畳させて視認でき、視線を大きく動かすことなく車両情報を得ることができる。
【０００３】
【特許文献１】
実開平４−５７８８２号公報
【０００４】
特許文献１に開示されたヘッドアップディスプレイ装置１では、表示器７が発した表示光３は反射型ホログラム回折格子板８で反射され、さらに凹面鏡９で反射されてフロントガラス４に投射される。なお、表示器７として、液晶表示素子１０，レンズ１１及び発光素子１２を備えた液晶表示器を図示したが、例えば蛍光表示管であっても良い。
【０００５】
表示装置１では、太陽光１３の赤外線１３ａが表示器７に入射し、液晶表示素子１０の温度が上昇して劣化することを防ぐため、赤外線１３ａを透過させる特性を持つ反射型ホログラム回折格子板８が用いられている。つまり、太陽光１３がケース１４内に入射し、凹面鏡９で反射され、反射型ホログラム回折格子板８に入射するときがあるが、太陽光１３の赤外線は、反射型ホログラム回折格子板８を透過するため、表示器７には入射しない。
【０００６】
反射型ホログラム回折格子板８を透過した赤外線１３ａは、ケース１４の内部の温度を上昇させ、液晶表示素子１０を劣化させるため放熱する必要があり、そのため放熱部材１５が設置される。放熱部材１５は、反射型ホログラム回折格子板８から離間して配置され、反射型ホログラム回折格子板８を透過した赤外線１３ａを受光する。従って、反射型ホログラム回折格子板８を透過した赤外線１３ａが反射型ホログラム回折格子板８の背後にあるケース１４の内壁に直接照射することがなくなり、赤外線１３ａの熱によってケース１４の内壁に変形や破損が生じない。
【０００７】
【発明が解決しようとする課題】
しかしながら、放熱部材１５がケース１４の内部に配設される構成であるため、赤外線１３ａを受光した放熱部材１５が発した熱によって、ケース１４内部の温度が上昇し、表示器７を含む電子機器（集積回路やトランジスタ等）を劣化させてしまう恐れがあり、また、過酷な環境下で使用される車両において望ましい放熱構造とはなっていない。
本発明は、この問題に鑑みなされたものであり、ケース内部の温度上昇を抑制することができるヘッドアップディスプレイ装置を提供するものである。
【０００８】
【課題を解決するための手段】
本発明は、前記課題を解決するため、請求項１に記載したように、表示光２５を発する表示器１６と、表示器１６から出た表示光２５を反射させるコールドミラー１７と、表示器１６とコールドミラー１７を少なくとも収納するケース１９と、を有するヘッドアップディスプレイ装置１において、前記コールドミラー１７を透過する赤外線を受光し、前記コールドミラー１７を保持するミラーホルダー２３を設け、前記ミラーホルダー２３を前記ケース２３から露出させたものである。
【０００９】
このように構成された請求項１記載のものでは、赤外線を受光し、熱を帯びた前記ミラーホルダー２３がケース１９から露出しているために、ケース１９内部ではなくケース１９外に熱を放出することができる。
【００１０】
また、本発明は、請求項２に記載したように、前記ミラーホルダー２３の外部に露出した部分に放熱フィン２４を設けたものである。
【００１１】
ミラーホルダー２３に放熱フィン２４を設けることで、ケース１９外部への放熱効率が上昇し、ケース１９内部の温度上昇を抑えることが可能となる。
【００１２】
【発明の実施の形態】
以下、本発明の実施の形態について、図面を参照しつつ説明する。ヘッドアップディスプレイ装置は、表示器１６と、コールドミラー１７と、凹面鏡１８と、ケース１９とを有している。
【００１３】
表示器１６は、車両の速度、エンジンの回転数等の運転情報を表示するものであり、液晶表示素子２０，レンズ２１及び発光ダイオード２２を有している（図２参照）。液晶表示素子２０は、ＴＦＴ型の液晶パネルの前後両面に偏光板を貼着したものである。発光ダイオード２２から発せられた光は、レンズ２１を介して液晶表示素子２０に照射される。
【００１４】
コールドミラー１７は、ガラス基板とこのガラス基板の前面に形成された反射層とからなるものである。コールドミラー１７は、赤外線のみを透過し、可視光線及び紫外線を反射させる特性を有している。コールドミラー１７を使用することで、赤外線の入射による液晶表示素子２０の劣化を防ぐことができる。コールドミラー１７は両面粘着テープでミラーホルダー２３の前面に接着によって保持されている。そのため、コールドミラー１７とミラーホルダー２３が離間して設置された場合に比べ、取り付け部分に要する体積が小さくなっている。
【００１５】
コールドミラー１７を保持するミラーホルダー２３は、ＰＢＴ等の樹脂あるいは放熱効率を上げるための熱伝導性の高いアルミニウム（Ａｌ）等からなるものである。ミラーホルダー２３は、ケース１９の一部を切り欠いて設置されており、ミラーホルダー２３の後面は、ケース１９から露出している。放熱フィン２４は、ケース６外に露出しているミラーホルダー１２の後面に設置し、ミラーホルダー１２の熱を効率的に外部に放出する。
【００１６】
凹面鏡１８は、表示光２５を反射させ、車両のフロントガラスに投射する。凹面鏡１８は、ポリカーボネート（ＰＣ）等の樹脂にアルミニウム（Ａｌ）を蒸着させ反射層を形成したものである。凹面鏡１８は、歯車２７及びステッピングモータ２８等からなる駆動機構２９によって揺動可能になっており、図示しない押ボタンスイッチを操作することで表示光２５の投射角度を調整できる。
【００１７】
外部から入射した太陽光３０は、凹面鏡１８で反射され、コールドミラー１７に入射する。太陽光３０を構成する可視光線，紫外線及び赤外線のうち可視光線及び紫外線は、反射されて表示器１６に入射するが、赤外線は、コールドミラー１７を透過する。この透過した赤外線を受光するミラーホルダー２３は、熱を帯びることになるが、コールドミラー１７を保持するミラーホルダー２３の後面がケース１９から露出しているため、ケース１９の外部へ放熱しやすくなる。
【００１８】
以上説明したヘッドアップディスプレイ装置１は、コールドミラー１７とミラーホルダー２３を接着し、ケース１９から露出させ、露出したミラーホルダー２３に放熱フィンを設けることにより、コールドミラーを透過した赤外線の熱を外部に放熱することができる。また、コールドミラー１７，ミラーホルダー２３及び放熱フィン２４の取り付け部に要する体積を減らしヘッドアップディスプレイ装置１の小型化が可能になる。また、放熱効率を高めるために、放熱フィンをミラーホルダー２３の外部に露出した部分に設けることによって過酷な環境下で耐えうるヘッドアップディスプレイ装置１を得ることが可能となる。
【００１９】
【発明の効果】
本発明は、表示光を発する表示器と、前記表示器から出た前記表示光を反射させるコールドミラーと、前記発光型表示器と前記コールドミラーを少なくとも収納するケースと、を有するヘッドアップディスプレイ装置において、前記コールドミラーを透過する赤外線を受光し、前記コールドミラーを保持するミラーホルダーを設け、前記ミラーホルダーを前記ケースから露出させたものであり、コールドミラーを透過した赤外線の熱を外部に放熱することができる。
【００２０】
また、本発明は、前記ミラーホルダーの外部に露出する部分に放熱フィンを設けたものであり、放熱効率を上げることができる。
【図面の簡単な説明】
【図１】本発明の実施形態を示すヘッドアップディスプレイ装置の概略構成図。
【図２】同上実施形態を示す表示器の概略構成図。
【図３】従来例を示すヘッドアップディスプレイ装置の概略構成図。
【図４】同上従来例を示すヘッドアップディスプレイの断面図。
【符号の説明】
１６  表示器
１７  コールドミラー
１９  ケース
２３  ミラーホルダー
２４  放熱フィン
２５  表示光
【図１】
2004347633.tif 000003
【図２】
2004347633.tif 000004
【図３】
2004347633.tif 000005
【図４】
2004347633.tif 000006